(57)【要約】【課題】  ランプが導電端子によってのみ保持されるような状態でも、ランプの落下を防止する。【解決手段】  ソケット本体１の周囲から中心に向かう２本のランプピン挿入開口部１１を有し、ランプピンは、ランプピン挿入開口部１１に沿って挿入され、ランプピン挿入開口部１１のそれぞれの端部にて導電端子３に接触した状態で保持されるランプソケットにおいて、ランプピン挿入開口部１１の入口近傍にランプピン仮保持部１６を設けてランプピンを保持可能とし、かつランプピン仮保持部１６は、対向するランプピンの内側に接触する部位がランプの中心軸側に弾性変形可能とした。これにより、ランプがソケット内部の導電端子３から外れたときでも、ランプピン仮保持部１６によりランプピンが保持されることでランプ落下の恐れがなく安全性が向上する。【選択図】  図１
2005044717.tif 000002
【特許請求の範囲】
【請求項１】
ソケット本体の周囲から中心に向かう２本のランプピン挿入開口部を有し、ランプピンは、前記ランプピン挿入開口部に沿って挿入され、前記ランプピン挿入開口部のそれぞれの端部にて導電端子に接触した状態で保持されるランプソケットにおいて、前記ランプピン挿入開口部の入口近傍にランプピン仮保持部を設けてランプピンを保持可能とし、かつ前記ランプピン仮保持部は、対向するランプピンの内側に接触する部位がランプの中心軸側に弾性変形可能としたことを特徴とするランプソケット。
【請求項２】
前記ランプピン仮保持部が位置する２本のランプピン挿入開口部の間にスリットを設けた請求項１記載のランプソケット。
【請求項３】
前記ランプピン仮保持部は、ランプピン挿入開口部の内側と外側に対向するように形成された一対の凸部からなり、ランプ軸方向の投影面上で前記一対の凸部の中間点はランプ挿入開口部の中心線より外側にある請求項２記載のランプソケット。
【請求項４】
前記ランプピン仮保持部は、ランプピン挿入開口部の内側と外側に対向するように形成された一対の凸部からなり、外側の凸部を内側の凸部よりソケット本体の中心方向に長くした請求項２記載のランプソケット。
【請求項５】
前記スリットにより分けられた２つのランプピン挿入開口部の内壁の間に、内壁の過変形防止突起部が配置されている請求項２記載のランプソケット。
【発明の詳細な説明】
【技術分野】
【０００１】
この発明は、例えば直管形蛍光灯用照明器具灯などに適用されるランプソケットに関するものである。
【背景技術】
【０００２】
従来例のランプソケットとして、ソケット本体の周側からランプピンをピン孔に挿入し導電端子に接続可能とするために、ピン孔は一端がソケット本体周側に向かって開口した長孔状に設けられたものがある（例えば、特許文献１，２参照）。また、このランプソケットは防水性を確保するために、パッキンを収容したカバー筒体（防水リング）がソケット本体のねじ筒に螺合される。
【特許文献１】特開２０００−３１５５８号公報
【特許文献２】特開２０００−３１５５７号公報
【発明の開示】
【発明が解決しようとする課題】
【０００３】
従来例のランプソケットは、上記のように防水リングを有する防水ソケットとして用いられている。通常の使用状態では、ランプは防水リングによって支えられているが、ランプ交換作業中は防水リングが取り外され、点灯検査などのために、ランプが導電端子によってのみ保持された状態で放置されることが多い。このとき、振動、衝撃等によりランプ落下の恐れがあるため、防水リングが無い状態でも、ランプが落下しない性能が、安全面からも作業性からも必要となっている。
【０００４】
したがって、この発明の目的は、ランプが導電端子によってのみ保持されるような状態でも、ランプの落下を防止することができるランプソケットを提供することである。
【課題を解決するための手段】
【０００５】
上記課題を解決するためにこの発明の請求項１記載のランプソケットは、ソケット本体の周囲から中心に向かう２本のランプピン挿入開口部を有し、ランプピンは、前記ランプピン挿入開口部に沿って挿入され、前記ランプピン挿入開口部のそれぞれの端部にて導電端子に接触した状態で保持されるランプソケットにおいて、前記ランプピン挿入開口部の入口近傍にランプピン仮保持部を設けてランプピンを保持可能とし、かつ前記ランプピン仮保持部は、対向するランプピンの内側に接触する部位がランプの中心軸側に弾性変形可能とした。
【０００６】
請求項２記載のランプソケットは、請求項１記載のランプソケットにおいて、前記ランプピン仮保持部が位置する２本のランプピン挿入開口部の間にスリットを設けた。
【０００７】
請求項３記載のランプソケットは、請求項２記載のランプソケットにおいて、前記ランプピン仮保持部は、ランプピン挿入開口部の内側と外側に対向するように形成された一対の凸部からなり、ランプ軸方向の投影面上で前記一対の凸部の中間点はランプ挿入開口部の中心線より外側にある。
【０００８】
請求項４記載のランプソケットは、請求項２記載のランプソケットにおいて、前記ランプピン仮保持部は、ランプピン挿入開口部の内側と外側に対向するように形成された一対の凸部からなり、外側の凸部を内側の凸部よりソケット本体の中心方向に長くした。
【０００９】
請求項５記載のランプソケットは、請求項２記載のランプソケットにおいて、前記スリットにより分けられた２つのランプピン挿入開口部の内壁の間に、内壁の過変形防止突起部が配置されている。
【発明の効果】
【００１０】
この発明の請求項１記載のランプソケットによれば、ランプピン挿入開口部の入口近傍にランプピン仮保持部を設けてランプピンを保持可能とし、かつランプピン仮保持部は、対向するランプピンの内側に接触する部位がランプの中心軸側に弾性変形可能としたので、ランプがソケット内部の導電端子から外れたときでも、ランプピン仮保持部によりランプピンが保持されることでランプ落下の恐れがなく安全性が向上する。また、ランプピン仮保持部が弾性変形することで、ランプの繰り返し着脱によるランプピン仮保持部の劣化が小さくなる。また、ランプピン仮保持部が内側に弾性変形するため、ソケットが大きくなることはない。
【００１１】
請求項２では、ランプピン仮保持部が位置する２本のランプピン挿入開口部の間にスリットを設けたので、ランプピン仮保持部の対向するランプピンの内側に接触する部位がランプの中心軸側に弾性変形する構成をコストアップなく容易に実現できる。
【００１２】
請求項３では、ランプピン仮保持部は、ランプピン挿入開口部の内側と外側に対向するように形成された一対の凸部からなり、ランプ軸方向の投影面上で一対の凸部の中間点はランプ挿入開口部の中心線より外側にあるので、ランプピン挿入開口部とランプピン仮保持部の位置関係により、ランプピン仮保持部の内側の凸部がたわみやすく、外側の凸部がたわむ場合と比較してソケットが小さくなる。
【００１３】
請求項４では、ランプピン仮保持部は、ランプピン挿入開口部の内側と外側に対向するように形成された一対の凸部からなり、外側の凸部を内側の凸部よりソケット本体の中心方向に長くしたので、ランプピン仮保持部の内側の凸部は、ランプ挿入時のみ機能する。ランプ仮保持状態では、外側の凸部にランプの荷重がかかる。よって、弾性変形により可動する内側の凸部に、荷重がかかったままにはならないので安全である。
【００１４】
請求項５では、スリットにより分けられた２つのランプピン挿入開口部の内壁の間に、内壁の過変形防止突起部が配置されているので、外部からの無理な力により、ランプピン仮保持部の破損を防止することができる。
【発明を実施するための最良の形態】
【００１５】
この発明の第１の実施の形態の図１〜図６に基づいて説明する。図１はこの発明の第１の実施形態のランプソケットの要部分解斜視図、図２はその組み立てた状態の正面図、図３はこの発明の第１の実施形態のランプソケットの全体斜視図、図４はその分解斜視図である。
【００１６】
図１〜図４において、１はソケット本体、２はソケット本体のカバー、３は導電端子、４は防水リングパッキン、５は金属リング、６は樹脂リング（防水リング）、７はリード線用パッキンである。
【００１７】
図１および図２に示すように、ソケット本体１は、周囲にねじを設けたねじ筒部１０を有し、その内部に導電端子３を覆うカバー２を装着している。また、ソケット本体１の周囲から中心に向かう２本のランプピン挿入開口部１１を有する。各ランプピン挿入開口部１１は導電端子３が臨むようにカバー２に形成されるとともに、その延長方向のねじ筒部１０の位置を切欠くように形成された開口部分１１ａを有する。ランプピンは、ランプピン挿入開口部１１に沿って矢印のように挿入され、ランプピン挿入開口部１１のそれぞれの端部にて導電端子３に接触した状態で保持される。また、ソケット本体１、カバー２は熱可塑性樹脂等で形成される。ソケット本体１には取付溝１４、水抜き穴（図示せず）が形成されている。カバー２は冷間かしめ１３によりソケット本体１に固定される。
【００１８】
上記ソケット本体１の構成において、ランプピン挿入開口部１１の入口近傍にランプピンを保持可能なランプピン仮保持部１６を設けている。このランプピン仮保持部１６は、対向するランプピン２０の内側に接触する部位がランプの中心軸側に弾性変形可能とした構成である。この場合、ランプピン仮保持部１６は、ランプピン挿入開口部１１の内側と外側に対向するように形成された一対の凸部１６ａ，１６ｂからなる。一対の凸部１６ａ，１６ｂの間隔Ｌはランプピン径より狭い。また、ランプピン仮保持部１６が位置する２本のランプピン挿入開口部１１の間にスリット１７を設けることで、内側の凸部１６ａがランプの中心軸側に弾性変形する。
【００１９】
図５はランプピン仮保持状態を示す。図５に示すように、開口部分１１ａからランプピン挿入開口部１１に沿って挿入されたランプピン２０はランプピン仮保持部１６により保持される。この際、ランプピン仮保持部１６がランプピン２０と接触することで、スリット１７により分けられた２つのランプピン挿入開口部１１の内壁１８が弾性変形する。また、外部からの無理な力により内壁１８が過多に変形するのを防止するために、過変形防止突起部２２が配置されている。この過変形防止突起部２２はソケット本体１に突設され、スリット１７の対向面に形成された凹所２３に嵌合される。
【００２０】
図６（ａ）はランプピン接続状態、（ｂ）はランプピン仮保持状態を示す。なお、同図ではランプ長さを縮小表示している。図６に示すように、ランプ２１が導電板３による接続位置からできる限り離れた位置で仮保持されるため、ランプ２１が正規の接続位置にないことが視覚的にわかりやすい。
【００２１】
また、図３および図４に示すように、防水リングパッキン４は、ねじ筒部１０とカバー２との間に挿入される。樹脂リング６は、ソケット本体１のねじ筒部１０に螺合し、金属リング５が当接するように端縁部が形成されている。図３に示す組み立て状態では、ランプピンの接続後において、防水リングパッキン４の一端側をソケット本体のねじ筒部１０とカバー２の間に挿入し、他端側に金属リング５を配置して、樹脂リング６を被せてねじ筒部１０に螺合して締め込む。これにより、防水リングパッキン４が圧縮されて防水性能が確保される。金属リング５は樹脂リング６と防水リングパッキン４の間に配置され、樹脂リング６の回転時の摩擦を低減させるためのものである。
【００２２】
本実施形態によれば、ランプがソケット内部の導電端子３から外れたときでも、ランプピン仮保持部１６によりランプピンが保持されることでランプ落下の恐れがなく安全性が向上する。特に、ランプ交換作業中は、樹脂リング６が取り外され、ランプは導電端子３のみによって保持されており、また、点灯検査などのため、この状態のまま放置されることが多い。このとき振動や衝撃により、ランプが導電端子３から外れても落下を防止することができる。
【００２３】
また、ランプピン仮保持部１６がスリット１７により弾性変形することで、ランプの繰り返し着脱によるランプピン仮保持部１６の劣化が小さくなる。また、ランプピン仮保持部１６が内側に弾性変形するため、ソケットが大きくなることはない。
【００２４】
なお、ランプピン仮保持部１６は、対向するランプピンの内側に接触する部位がランプの中心軸側に弾性変形可能としたものであれば、スリットはなくてもよい。例えば、図７に示すように、ランプピン挿入開口部１１のランプの中心軸側の側面に凹部２５を設け、この凹部２５と一体にランプピン仮保持部１６の内側の凸部１６ａを形成してもよい。この場合、ランプピン仮保持部１６がランプピン２０との接触により、内側の凸部１６ａが凹部２５内へ押し込まれるようにばね性を持たせている。
【００２５】
また、図８は比較例であり、ランプピン２０の先端を仮保持する構造である。この場合、ランプピン仮保持部２６はソケット本体１の内底面に突設している。２７はランプ２１の保持高さである。本実施形態のようにランプピン径方向にランプピン仮保持部２６を設けたものと比較すると仮保持性能は低下する。
【００２６】
この発明の第２の実施の形態の図９に基づいて説明する。図９はこの発明の第２の実施形態のランプソケットの要部正面図である。
【００２７】
図９に示すように、ランプピン仮保持部１６は、第１の実施形態と同様にランプピン挿入開口部の内側と外側に対向するように形成された一対の凸部１６ａ，１６ｂからなるが、ランプ軸方向の投影面上で一対の凸部１６ａ，１６ｂの中間点はランプ挿入開口部１１の中心線より外側にある。すなわち、ランプ挿入開口部１１の中心線から内側の凸部１６ａまでの距離ａと、外側の凸部１６ｂまでの距離ｂとの関係は、ａ＜ｂとなっている。
【００２８】
本実施形態によれば、ランプピン挿入開口部１１とランプピン仮保持部１６の位置関係により、内側の凸部１６ａのほうがたわみ易くなる。そのため、ソケットが外向きに広がりにくいので小さくなる。その他の構成効果は、第１の実施の形態と同様である。
【００２９】
この発明の第３の実施の形態の図１０および図１１に基づいて説明する。図１０はこの発明の第３の実施形態のランプソケットの要部正面図、図１１はこの発明の第３の実施形態のランプピン仮保持状態の説明図である。
【００３０】
図１０に示すように、ランプピン仮保持部１６は、第１の実施形態と同様にランプピン挿入開口部１１の内側と外側に対向するように形成された一対の凸部１６ａ，１６ｂからなるが、外側の凸部１６ｂを内側の凸部１６ａよりソケット本体１の中心方向に長くした。すなわち、内側の凸部１６ａの長さｃと、外側の凸部１６ｂの長さｄとの関係は、ｃ＜ｄとなっている。
【００３１】
本実施形態によれば、ランプピン仮保持部１６の内側の凸部１６ａは、ランプ挿入時のみ機能する。ランプ仮保持状態では、図１１に示すように、ランプピン２０が外側の凸部１６ｂに当接し、この凸部１６ｂにランプの荷重がかかる。よって、弾性変形により可動する内側の凸部１６ａに、荷重がかかり続けることはない。また、最大のランプピン保持力は、ｃ＝ｄのときと同じである。その他の構成効果は、第１の実施の形態と同様である。
【図面の簡単な説明】
【００３２】
【図１】この発明の第１の実施形態のランプソケットの要部分解斜視図である。
【図２】図１の組み立てた状態の正面図である。
【図３】この発明の第１の実施形態のランプソケットの全体斜視図である。
【図４】図３の分解斜視図である。
【図５】ランプピン仮保持状態を示す説明図である。
【図６】（ａ）はランプピン接続状態を示す説明図、（ｂ）はランプピン仮保持状態を示す説明図である。
【図７】この発明の第１の実施形態のランプソケットの変形例を示す要部拡大図である。
【図８】比較例の説明図である。
【図９】この発明の第２の実施形態のランプソケットの要部正面図である。
【図１０】この発明の第３の実施形態のランプソケットの要部正面図である。
【図１１】この発明の第３の実施形態のランプピン仮保持状態の説明図である。
【符号の説明】
【００３３】
１  ソケット本体
２  カバー
３  導電端子
１１  ランプピン挿入開口部
１６  ランプピン仮保持部
１７  スリット
１８  内壁
２２  過変形防止突起部
【図１】
2005044717.tif 000003
【図２】
2005044717.tif 000004
【図３】
2005044717.tif 000005
【図４】
2005044717.tif 000006
【図５】
2005044717.tif 000007
【図６】
2005044717.tif 000008
【図７】
2005044717.tif 000009
【図８】
2005044717.tif 000010
【図９】
2005044717.tif 000011
【図１０】
2005044717.tif 000012
【図１１】
2005044717.tif 000013